(57)【要約】【課題】  使用者が給湯するにあたって安全性が高く、操作性に優れているとともに、好ましい外観を有するものにすること。【解決手段】  水道水を浄水する浄水部８と、浄水を吐出する浄水口３７を持つ浄水経路３６と、大気開放口を有し浄水を加熱及び保温する湯沸し部１８と、湯沸し部１８で沸いた熱湯を吐出する出湯口３４を持つ給湯経路３３と、給湯経路３３の途中に設けたポンプ３２と、浄水口３７と出湯口３４および浄水と熱湯の吐出を選択的に操作するための操作パネル３０とを設けた水栓部１９とを備え、水栓部１９内に浄水口３７と出湯口３４とを夫々独立させて収納するとともに、浄水口３７と出湯口３４とを隣り合うようにもしくは接して設ける構成とした。【選択図】  図１ 
2005043018.tif 000002
【特許請求の範囲】
【請求項１】
水道水を浄水する浄水部と、浄水を吐出する浄水口を持つ浄水経路と、大気開放口を有し浄水を加熱及び保温する湯沸し部と、前記湯沸し部で沸いた熱湯を吐出する出湯口を持つ給湯経路と、前記給湯経路途中に設けたポンプと、前記浄水口と前記出湯口および浄水と熱湯の吐出を選択的に操作するための操作パネルとを設けた水栓部とを備え、前記水栓部内に前記浄水口と前記出湯口とを夫々独立させて収納もしくは前記水栓部から前記浄水口と前記出湯口とを夫々独立かつ突出させて配するとともに、前記浄水口と前記出湯口とを隣り合うようにもしくは接して設けた給湯装置。
【請求項２】
浄水口と出湯口とを同一面上に並べて配設した請求項1記載の給湯装置。
【請求項３】
水栓部の一部を回動可能とした請求項1または2記載の給湯装置。
【請求項４】
給湯経路に液密で回動自在な接続部Ａを備え、浄水経路に液密で回動自在な接続部Ｂを備え、前記接続部Ａと前記接続部Ｂとを同軸上に設け、前記軸を回転中心として回動する構成とした請求項1〜３のいずれか１項に記載の給湯装置。
【請求項５】
所定の２操作以上を実施することで、熱湯を吐出する制御を有する給湯装置であって、複数の操作中にスイッチを押す操作を含み、１番目のスイッチを押す操作力を最も大きく設けた請求項1〜４のいずれか１項に記載の給湯装置。
【請求項６】
操作パネルで選択すると、浄水と熱湯の吐出時に複数色の発光表示を行う発光手段を設けた請求項1〜５のいずれか１項に記載の給湯装置。
【請求項７】
浄水口と出湯口を分離した状態で包括する吐出口を設けた請求項1〜６のいずれか１項に記載の給湯装置。
【発明の詳細な説明】
【技術分野】
【０００１】
本発明は、システムキッチンにおけるキッチンユニットに組み込む給湯装置に関し、特に飲用、調理用の熱湯及び浄水を供給する水栓部の構成に関するものである。
【背景技術】
【０００２】
従来、この種の給湯装置としては、浄水口と出湯口とを別々に設け、熱湯や高熱部分が使用者に触れないような安全構成としたものがあった（例えば特許文献１参照）。
【０００３】
図４は従来の給湯装置の断面図を示したものである。図４に示すように、キッチンユニット１００に組み込まれた給湯装置においては熱湯がシンク１０１内に吐出される構成であるため、キッチンユニット１００にて作業等をしている使用者にとって熱湯や高熱部分が使用者に触れないような安全構成が採られていた。
【０００４】
すなわち、浄水給湯水栓１０２の背面側に浄水パイプ１０３が貫通するように設けられ、浄水経路である浄水パイプ１０３の導出部分１０３ａが回転可能に設けられた構成とし、さらに、浄水の吐出時に間違って熱湯を吐出する危険を防止するために、給湯経路である出湯パイプ１０４と浄水経路である浄水パイプ１０３とを浄水給湯水栓１０２の内側と外側とに途中で分離し、浄水口１０５と出湯口１０６を離すことで浄水口１０５と出湯口１０６との区別をはっきりとさせていた。
【０００５】
さらに、従来の給湯装置の前記構成により、一般に見られる混合水栓と異なり、熱湯はタンク１０７が排気口１０８により大気に開放されるため出湯操作後は、必ずタンク１０７の水位まで戻すことができ、浄水は混合水栓と同様に浄水口あるいは浄水口付近に滞留させることができ、コ−ヒ−やお茶等の飲用用途及び調理用用途の熱湯を冷めることなく吐出することが可能となったため、熱湯の捨て水を無くすことができる構成となっていた。
【０００６】
なお、混合水栓では、温水も浄水と同じように温水取り出し口付近で滞留させる構成であったため、温水の温度が低下するという問題はあったが、飲用用途でないことあるいは約９０℃以上の熱湯でないことのため、大きな実害はなかった。
【特許文献１】特開２００１−３４３１５５号公報
【発明の開示】
【発明が解決しようとする課題】
【０００７】
しかしながら、前記従来の構成では、前述のような熱湯や高熱部分が使用者に触れないような安全構成として、給湯経路と浄水経路とを浄水給湯水栓の内側と外側とに途中で分離し、浄水口と出湯口を離すことで浄水口と出湯口との区別をはっきりと付けて防止していたが、例えば浄水を吐出する際についうっかり出湯口で浄水を受けてしまうという間違いのように、浄水と熱湯の吐出操作の間違いが起こるという操作上の問題があった。
【０００８】
また、給湯経路と浄水経路とを浄水給湯水栓の内側と外側とに分離して設けるのは外見的に好ましくなく、さらに大きな空間を必要とするため、更なる改善が求められていた。
【０００９】
本発明は、前記従来の課題を解決するもので、使用者にとって安全性が高く、操作性に優れ、かつ好ましい外観を有する給湯装置を提供することを目的とする。
【課題を解決するための手段】
【００１０】
浄水部で浄水した浄水を吐出する浄水口を持つ浄水経路と、湯沸し部で沸いた熱湯を吐出する出湯口を持つ給湯経路とを備えた給湯装置において、水栓部内に浄水口と出湯口とを夫々独立して収納し、かつ浄水口と出湯口とを隣り合うようにもしくは接して設ける構成とした。
【００１１】
この構成により、浄水口と出湯口とが近接または接しているため、コップを浄水口または出湯口に置いたとしても、コップは浄水口と出湯口との両方をカバーするので、熱湯を吐出するつもりでついうっかりコップを浄水口に置いてしまうというような操作上の間違いを犯しても安全性を確保できる。また、水栓部に浄水口および出湯口をまとめて配置することで外観形状をシンプルなものにもしくは省スペ−ス化することができる。
【発明の効果】
【００１２】
以上述べたように、請求項１ないし７に記載の発明によれば、使用者が給湯するにあたって安全性が高く、操作性に優れているとともに、好ましい外観を有するものにすることができる。
【発明を実施するための最良の形態】
【００１３】
請求項１記載の発明は、水道水を浄水する浄水部と、浄水を吐出する浄水口を持つ浄水経路と、大気開放口を有し浄水を加熱及び保温する湯沸し部と、前記湯沸し部で沸いた熱湯を吐出する出湯口を持つ給湯経路と、前記給湯経路途中に設けたポンプと、前記浄水口と前記出湯口および浄水と熱湯の吐出を選択的に操作するための操作パネルとを設けた水栓部とを備え、前記水栓部内に前記浄水口と前記出湯口とを夫々独立させて収納もしくは前記水栓部から前記浄水口と前記出湯口とを夫々独立かつ突出させて配するとともに、前記浄水口と前記出湯口とを隣り合うようにもしくは接して設ける構成とした。
【００１４】
この構成により、浄水口と出湯口とが近接または接しているため、コップを浄水口または出湯口に置いたとしても、コップは浄水口と出湯口との両方をカバーするので、熱湯を吐出するつもりで、ついうっかりコップを浄水口に置いてしまうというような操作上の間違いを犯しても安全性を確保できる。また、水栓部に浄水口及び出湯口をまとめて配置することで、外観形状をシンプルなものにもしくは省スペ−ス化することができる。
【００１５】
請求項２記載の発明は、特に、請求項１記載の浄水口と出湯口を水栓部の同一面上に並べて配設したことにより、浄水と熱湯を同じ面で受けることが可能となることで、浄水と熱湯の吐出操作の間違いをさらに防止することができる。
【００１６】
請求項３記載の発明は、特に、請求項１または２に記載の水栓部の一部を回動可能としたことにより、浄水口と出湯口をともに回転することができ利便性の良いものにすることができる。
【００１７】
請求項４記載の発明は、特に、請求項１〜３のいずれか１項に記載の水栓部の構成において、給湯経路に液密で回動自在な接続部Ａを備え、浄水経路に液密で回動自在な接続部Ｂを備え、前記接続部Ａと前記接続部Ｂとを同軸上に設け、前記軸を回転中心として回動する構成とすることにより、接続部Ａで浄水経路を、接続部Ｂで給湯経路を回転することができ、接続部Ａ及び接続部Ｂが同軸上に位置することで、水栓部の外観形状をシンプルなものにもしくは省スペ−ス化しながら出湯口及び浄水口をシンク内の最適な位置に回転させることができる。
【００１８】
請求項５記載の発明は、特に、請求項１〜４のいずれか１項に記載の構成において、所定の２操作以上を実施することで、熱湯を吐出する制御を有する給湯装置であって、複数の操作中にスイッチを押す操作を含み、１番目のスイッチを押す操作力を最も大きく設けたことにより、間違ってスイッチが入ることを防ぎ、かつ操作性の向上を図ることできる。
【００１９】
請求項６記載の発明は、特に、請求項１〜５のいずれか１項に記載の水栓部の構成において、操作パネルで選択すると、浄水と熱湯の吐出時に複数色の発光表示を行う発光手段を設けたことにより、浄水の吐出と熱湯の吐出操作を区別し易くし、安全性を向上できる。
【００２０】
請求項７記載の発明は、特に、請求項１〜６のいずれか１項に記載の水栓部の構成において、浄水口と出湯口を分離した状態で包括する吐出口を設けた構成とすることにより、浄水と熱湯の吐出操作の間違いを防止することができる。
【実施例１】
【００２１】
以下、本発明の一実施例について図面を用いて説明する。
【００２２】
図１は、本発明の一実施例における給湯装置の断面図である。先ず、図１を用いて本実施例に用いる給湯装置の概要について説明する。
【００２３】
図１において、キッチンユニット１に導入された水道管２は分岐栓３を介して水栓４と止水栓５に接続されている。
【００２４】
水栓４はキッチンユニット１の上部でシンク６の縁近傍に設け、シンク６内への水の吐出量を調整できるよう構成している。分岐栓３から止水栓５を通過した水は、給水弁部７を通って浄水部８に送られる。
【００２５】
給水弁部７は濾過器であるストレ−ナ９、逆止弁１０、流量調整弁１１及び給止弁１２からなり、これらを一体として１つの筐体ユニットに収納する構成としている。また、この筐体ユニット内には漏水を検知するための漏水センサ１３を設けている。
【００２６】
浄水部８に送り込まれた水は、遊離塩素やトリハロメタン、金属、臭い、その他の濁り成分等を十分取り除いたのち、給湯ユニット１４に送り出される。なお、この浄水部８は給湯ユニット１４の筐体に着脱可能に取り付けられ、その着脱状態は浄水部有無検知スイッチ１５により認識できるようにしている。
【００２７】
給湯ユニット１４において、浄水部８から流入した浄水は、流量計１６を介して切替弁１７に達し、この切替弁１７によりされて湯沸し部１８又は水栓部１９のどちらかに供給される。
【００２８】
湯沸し部１８への浄水は加熱容器２０内の上部に配置した給水口２１から加熱容器２０供給され、ここで所定温度に加熱そして保温される。そして、この加熱容器２０の側面及び上面を断熱材２２で覆い、加熱容器２０内の浄水を所定温度に維持し易いようにしている。
【００２９】
また、加熱容器２０内には給水口２１からの浄水を受ける給水バッファ２３と滴下パイプ２４を設けている。この給水バッファ２３には給水口２１から浄水が流れ込み、給水バッファ２３から滴下パイプ２４を経て加熱容器２０に浄水を貯め、加熱容器２０の下部に取り付けられたヒ−タ２５により加熱そして保温する。また、加熱容器２０内には水位センサ２６を設け、加熱容器２０内の浄水量を常に監視するとともに、加熱容器２０の底部に、温度センサ２８を設け加熱容器２０が所定温度以上になり、過熱状態とならないように検知している。
【００３０】
なお、加熱容器２０内において生じた蒸気は、蒸気パイプ２６を通り、給湯ユニット１４に設けた大気開放口２７から排出される。
【００３１】
また、給湯ユニット１４内側底面には、漏水センサ２９を設け、給湯ユニット１４内の漏水状態を検知できる構成としている。
【００３２】
水栓部１９における後述する操作パネル３０からの給湯指令により、加熱容器２０内において所定温度の浄水（本実施例では約９５℃の熱湯であり、以下熱湯と記す）は、加熱容器２０の満水状態における水位の略中間位置に設けた取出口３１からポンプ３２に送り込まれる。
【００３３】
ポンプ３２に送り込まれた所定温度の熱湯は、給湯経路３３を通り、出湯口３４からシンク６の内側へ吐出される。
【００３４】
一方、水栓部１９の上面側に設けた操作パネル３０から給浄水指令が出力された場合、浄水部８を通った浄水は、切替弁１７及び逆止弁３５を介して浄水経路３６を流れ、浄水口３７からシンク６の内側へ吐出される。
【００３５】
次に、本実施例における水栓部１９について図２を用いて説明する。
図２は、水栓部１９の前面側外観を斜め上方から見た斜視図である。図２に示すように、水栓部１９の上面には操作パネル３０を設けている。この操作パネル３０は、電源ボタン（図示せず）、浄水ボタン３８、表示部３９、熱湯ボタン４０、及びロック解除ボタン４１を有している。
【００３６】
電源ボタンは、給湯装置全体に対する電源の供給／停止を行うスイッチである。浄水ボタン３８は、浄水口３７から浄水の吐出／停止を行うスイッチである。また、熱湯ボタン４０は、出湯口３４からの熱湯の吐出／停止を行うスイッチであるが、熱湯ボタン４０を押圧直前にロック解除ボタン４１を押圧して、給湯ロックの解除を行う必要がある。
【００３７】
また、表示部３９は、給湯可能状態を示すＬＥＤを有し、使用者が給湯可能か否かを認識できるようにしている。
【００３８】
また、水栓部１９の操作パネル３０において、使用者がロック解除ボタン４１を押圧すると、電気接点の接触により給湯ユニット１４のポンプ３２が駆動し給湯経路３３の出湯口３４から熱湯を吐出する。
【００３９】
次に、本実施例の特徴である水栓部１９の構成について説明する。
【００４０】
図３は本実施例の水栓部１９の縦断面図である。図３に示すように、水栓部１９内の上方には操作パネル３０等のための回路基板４２を配置している。
【００４１】
そして、水栓部１９内には、浄水口３７に通じる浄水経路３６と、浄水経路３６の下方に出湯口３４に通じる給湯経路３３とを浄水口３７もしくは出湯口３１まで夫々独立した経路として収納している。このように水栓部１９に浄水口３７及び出湯口３４をまとめて配置することで外観形状をシンプルなものに、もしくは省スペ−ス化することができる。さらに、独立させて浄水経路３６と給湯経路３３とを設けることで、熱湯を湯沸し部１８の加熱容器２０まで戻し、給湯経路３３に滞留して冷えてしまう湯を無くすことができる。
【００４２】
さらに、図３に示すように、浄水口３７と出湯口３４とを隣り合うように設けることにより、浄水と熱湯の吐出操作の間違いを防止することができるようにしている。
【００４３】
なお、本実施例においては浄水口３７と出湯口３４とを隣り合うように設けたが、接して設けても同様の効果が得られる。
【００４４】
なお、ここでいう隣り合うようにもしくは接して設けるとは、浄水口３７と出湯口３４の中心の距離間を６ｃｍ以内とすることをいい、６ｃｍ以内とすることで、効果が得られるが、３ｃｍ以内とすればかなり小さなコップの使用時でも吐出操作の間違いが起こらないため、熱湯や浄水を溢さずに確実に受けることができる。
【００４５】
なお、水栓部１９から浄水経路３６の浄水口３７と給湯経路３３の出湯口３４とを独立させて突出させて配し、図３に示すように浄水口３７と出湯口３４とを隣り合うようにもしくは接するようにして設けることでも同様の効果を得ることが可能である。
【００４６】
また、浄水口３７と出湯口３４を同一面上に並べて配設することにより、浄水と熱湯を同じ面で受けることが可能となることで、浄水と熱湯の吐出操作の間違いをさらに防止することができる。また、浄水口３７と出湯口３４を実施例では、縦断面で見て左右に並べて配置したが、縦断面で見て前後に配置してもよく、隣り合うようにもしくは接して設ければ位置関係によらず同様の効果を得ることができる。
【００４７】
また、操作パネル３０の下側部において給湯経路３３より浄水経路３６を上方側に設けることにより、熱湯による操作パネル３０の回路基板あるいは操作パネルの温度上昇を抑えることが可能となる。
【００４８】
そして本実施例では図１に示すように給湯経路３３及び浄水経路３６をキッチンユニット１内部から水栓部１９内まで形成している。そして、図３に示すように給湯経路３３を２つの部分より形成している。１つは給湯経路３３の上部側である出湯口３４と接続部Ａ４３とを有する樹脂製の導出パイプ４４であり、もう１つは下部側であるホース部４５である。そして、導出パイプ４４とホース部４５との接続は、接続部Ａ４３の下部に形成したＯリング４６を有する円周リブ４７と、ホース部４５の上部に形成した外周部４８とを勘合することにより行い、これにより、両者をＯリング４６にて液密に接続でき、さらに回動自在に固定することができる。
【００４９】
また、浄水経路３６も給湯経路３３と同様に２つの部分から構成している。すなわち、浄水経路３６は、給湯経路３３の上部側である浄水口３７と接続部Ｂ４９とを有する樹脂製の導出パイプ５０と、下部側であるホース部５１とより構成している。そして、導出パイプ５０とホース部５１との接続は、接続部Ｂ４９の下部に形成したＯリング５２を有する円周リブ５３と、ホース部５１の上部に形成した外周部５４とを勘合することにより行い、これにより、両者をＯリング５２にて液密に接続でき、さらに回動自在に固定することができる。
【００５０】
また、水栓部１９は、水栓部１９の下部側である水栓ボデ−Ａ１９ａと上部側である水栓ボデ−Ｂ１９ｂとからなり、水栓ボデ−Ａ１９ａの上部の外周にＯリング５５を有する円周リブ５６を形成している。水栓ボデ−Ｂ１９ｂの下端部近傍に内ツバ５７を形成し、水栓ボデ−Ｂ１９ｂの下端部が円周リブ５６に勘合し、固定リング５８の外ツバ５９により水栓ボデ−Ａ１９ａの上面にビス等で水栓ボデ−Ｂ１９ｂを回動自在に固定している。そして、接続部Ａ４３と接続部Ｂ４９を図３に示すように同軸Ｏ上に設け、この軸Ｏを回転中心として回転することにより、水栓ボデ−Ｂ１９ｂ、接続部Ａ４３及び接続部Ｂ４９を共に回転させることができるようになり、水栓部１９の外観形状をシンプルなものにするとともに、省スペ−ス化しながら浄水口３７及び出湯口３４をシンク６内の最適な位置に回転することができる。
【００５１】
また、操作パネル３０上で浄水と熱湯の何れかを選択すると、浄水と熱湯の吐出時に複数色の発光表示を行うことができる発光手段６０を設けている。本実施例では、発光手段６０として複数色のＬＥＤを使用することにより、浄水の吐出と熱湯の吐出操作時にＬＥＤの発光色を変えて区別することができるため、安全性を向上できる。なお、浄水吐出時は、青色で、熱湯吐出時は赤にすると最も感覚的に理解しやすいため望ましい。
【００５２】
また、熱湯の吐出操作において、吐出前に発光表示を十分確認できるように、ロック解除ボタン４１と発光手段６０を連動させるとより安全である。さらに、発光手段６０と同時にロック解除ボタン４１を押圧すると操作パネル３０上のロック解除ボタン４１もしくは出湯ボタン４０の周辺あるいはボタン自身を発光させることによりさらに安全とすることができる。
【００５３】
また、図３に示したように浄水口３７と出湯口３４とを分離した状態で包括する吐出口６１を設ける構成とすることにより、見かけ上１つの開口部より浄水もしくは熱湯ともに吐出されるため、浄水と熱湯の吐出操作の間違いをさらに防止することができる。
【００５４】
なお、本実施例ではロック解除ボタン４１と出湯ボタン４０とのボタンを押圧するという２操作を実施することで、出湯を行うことができるようにしているが、一番目の操作であるロック解除ボタン４１を押す操作力を最も大きく設けることで、軽い力で誤ってスイッチに触れてしまった場合にスイッチが入ることを防ぎ、２番目の操作である熱湯ボタン４０の操作力を低減して操作性の向上を図ることができる。なお、本実施例では２番目の操作である熱湯ボタン４０を押圧しているときに出湯され、出湯ボタン４０を離すと熱湯が止まるようにしている。
【００５５】
このことにより、熱湯の出湯操作をより安全にしているが、押し続けるのは、操作性としては本来好ましくないが上述のように出湯ボタン４０の操作力を低減することにより、操作性と安全性の両立が達成できる。
【００５６】
また、本実施例では熱湯の吐出操作においてロック解除操作と熱湯の吐出操作の２操作のみとしたが、２操作以上であれば同様の効果を得ることができる。
【図面の簡単な説明】
【００５７】
【図１】本発明の一実施例における給湯装置の断面図
【図２】同給湯装置の水栓部の斜視図
【図３】同給湯装置の水栓部の断面図
【図４】従来の給湯装置の断面図
【符号の説明】
【００５８】
８  浄水部
１８  湯沸し部
１９  水栓部
３０  操作パネル
３２  ポンプ
３３  給湯経路
３４  出湯口
３６  浄水経路
３７  浄水口
４３  接続部Ａ
４９  接続部Ｂ
６０  発光手段
６１  吐出口
【図１】
2005043018.tif 000003
【図２】
2005043018.tif 000004
【図３】
2005043018.tif 000005
【図４】
2005043018.tif 000006